(57)【特許請求の範囲】
【請求項１】
平板状の発熱体を有する電子機器の一つの面に装着して、この電子機器の内部と外部を仕切る仕切板と、この仕切板の前記電子機器の外部側に配置した熱交換体と、前記仕切板の前記電子機器の内部側に配置した送風機とを備え、前記仕切板は、その上方の横方向に上方開口、その下方の横方向に下方開口を有し、前記熱交換体は、前記仕切板の前記電子機器の外部側において、前記上方開口と下方開口を温風路体によって縦方向に橋架状に連結した構成とし、前記電子機器の内部側において、前記上方開口と下方開口には、それぞれ前記発熱体の背面上方と背面下方において前記発熱体の前面側と背面側へ温風路体を通過させた空気を流通させる吸込部材と吹出部材を備えた放熱ユニット。
【請求項２】
吸込部材と吹出部材はそれぞれ吸込開口と吹出開口を有し、前記吸込開口には送風機を備え、上方開口と連接させるとともに、吹出開口は下方開口と連接させた請求項１記載の放熱ユニット。
【請求項３】
送風機は吸込開口側から上方開口へ向けて空気を押し込む構成とした請求項１または２記載の放熱ユニット。
【請求項４】
吸込部材は、発熱体の前面側から上端を越えて背面側上方に連通する第１風路と発熱体の背面側で下方に向けて電子機器内へ連通する第２風路と、送風機の吸込口で前記第１風路と第２風路を送風機の吸込口へ合流させる吸込合流板を備えた請求項１記載の放熱ユニット。
【請求項５】
吹出部材は、発熱体の前面側から下端を越えて背面側下方に連通する第３風路と発熱体の背面側で上方に向けて電子機器内へ連通する第４風路と、下方開口からこれら第３風路と第４風路へ空気を分流させる吹出分流板を備えた請求項１または２記載の放熱ユニット。
【請求項６】
吹出分流板は、吹出開口に対して分流比率を可変させる構成とし、第４風路へ連通する開口面積を第３風路へ連通する開口面積よりも大きくして配置した請求項２または５記載の放熱ユニット。
【請求項７】
吸込部材には、第１風路と第２風路内の温度をそれぞれ計測する発熱体前面温度センサーと発熱体背面温度センサーを備えた請求項４に記載の放熱ユニット。
【請求項８】
吸込開口には、並べて配置した複数の送風機と、これら送風機と送風機の間にファン仕切板を設けた請求項１記載の放熱ユニット。
【請求項９】
温風路体は、所定の間隔を置いて内外に並行する複数の縦方向の風路を形成して上方開口と下方開口を橋架連結する請求項１から８のいずれか一つに記載の放熱ユニット。
【請求項１０】
温風路体は、外側の上方通気口と下方通気口間においては、温風路体に沿って第一の通風路を設けた請求項９記載の放熱ユニット。
【請求項１１】
温風路体は、外側の上方通気口と下方通気口間においては、仕切板と間に第一の通風路の方向に対して交差する第二の風路を設けた請求項９または１０に記載の放熱ユニット。
【請求項１２】
発熱体は前面側に設けた表示部であり、この表示部とこの表示部の背面側に前記表示部の制御部をそれぞれ設けた本体ケースの背面側に、開口部を設け、この開口部に、請求項１から１１のいずれか一つに記載の放熱ユニットを、この放熱ユニットの温風路体が、前記本体ケースの外面側となるように配置した電子機器。
【発明の詳細な説明】
【技術分野】
【０００１】
本発明は、例えば屋外に設置される電子機器に活用される放熱ユニットおよびこれを組み込んだ電子機器に関するものである。
【背景技術】
【０００２】
電子機器、例えばテレビジョン受像機では、本体ケースの表面側に表示部が設けられ、またこの本体ケースの内部には前記表示部の制御部が設けられ、制御部の後ろ側は仕切板で覆っていた。
【０００３】
また、この電子機器は、天井から吊り下げて使用される場合もあった（例えば特許文献１）。
【先行技術文献】
【特許文献】
【０００４】
【特許文献１】特開平７―３２２１７２号公報
【発明の概要】
【発明が解決しようとする課題】
【０００５】
近年のテレビジョン受像機はその表示部が極めて大きくなってきたので、その表示効果の高さを利用し、これを広告装置として屋外に設置する取り組みも活発化されるようになっている。
【０００６】
この場合、屋外で使用するためには、水が本体ケース内に浸入しないように密閉構造をとることが必要となり、そのためにこの本体ケースの背面側は仕切板で密封する構成としていた。
【０００７】
しかしながら、この様な密閉構造をとると、表示部や制御部の放熱が十分に行えなくなる。
【０００８】
そこで、従来は本体ケースの後ろ側に設けた前記仕切板を金属製とし、さらにこの仕切板の内、外に金属製のフィンを複数設け、この状態で本体ケース内の空気を送風機で攪拌する構成としていた。
【０００９】
つまり、本体ケース内の空気を送風機で攪拌することで、先ず本体ケース内の熱を、本体ケース内のフィン、仕切板に伝達し、次にこの仕切板の熱伝導により、本体ケース外のフィンに伝達させ、その後本体ケース外のフィンから屋外空気に放熱させる構成となっている。
【００１０】
しかしながら、このような放熱構造、つまり金属製仕切板の内、外に金属製のフィンを複数設けた構造は、よく知られているように極めて重くなり、このように放熱構造が重くなると、テレビジョン受像機自体も重くなり、結果として屋外の高所に設置するのに好ましくないものとなる。
【００１１】
そこで、本発明は放熱ユニットおよびこれを用いた電子機器の軽量化を図ることを目的とするものである。
【課題を解決するための手段】
【００１２】
そして、この目的を達成するために、本発明の放熱ユニットは、平板状の発熱体を有する電子機器の一つの面に装着して、この電子機器の内部と外部を仕切る仕切板と、この仕切板の前記電子機器の外部側に配置した熱交換体と、前記仕切板の前記電子機器の内部側に配置した送風機とを備え、前記仕切板は、その上方の横方向に上方開口、その下方の横方向に下方開口を有し、前記熱交換体は、前記仕切板の前記電子機器の外部側において、前記上方開口と下方開口を温風路体によって縦方向に橋架状に連結した構成とし、前記電子機器の内部側において、前記上方開口と下方開口には、それぞれ前記発熱体の背面上方と背面下方において前記発熱体の前面側と背面側へ温風路体を通過させた空気を流通させる吸込部材と吹出部材を備え、これにより所期の目的を達成するものである。
【発明の効果】
【００１３】
本発明の放熱ユニットは、平板上の発熱体を有する電子機器の一つの面に装着して、この電子機器の内部と外部を仕切る仕切板と、この仕切板の前記電子機器の外部側に配置した熱交換体と、前記仕切板の前記電子機器の内部側に配置した送風機とを備え、前記仕切板は、その上方の横方向に上方開口、その下方の横方向に下方開口を有し、前記熱交換体は、前記仕切板の前記電子機器の外部側において、前記上方開口と下方開口を温風路体によって縦方向に橋架状に連結した構成とし、前記電子機器の内部側において、前記上方開口と下方開口には、それぞれ前記発熱体の背面上方と背面下方において前記発熱体の前面側と背面側へ温風路体を通過させた空気を流通させる吸込部材と吹出部材を備えたものであるので、放熱ユニットおよびこれを用いた電子機器の軽量化を図ることができる。
【００１４】
すなわち、本発明においては、従来のように電子機器内部にまで放熱対策用に放熱フィンを設けなくても、この電子機器の内部の熱を、送風機の送風により、電子機器の外部側に配置した熱交換体へ移動させて効果的に放熱させることができるので、放熱ユニットおよびこれを用いた電子機器の軽量化を図ることができるのである。
【図面の簡単な説明】
【００１５】
【図１】本発明の実施の形態１の設置例を示す斜視図
【図２】同背面側の斜視図
【図３】同背面側の分解斜視図
【図４】電子機器の構成と風路を示す側断面図（（ａ）電子機器内部の風路を示す図（ｂ）温風路体外側の風路を示す図）
【図５】同吸込合流体と吹出分流体部分の詳細を示す図
【図６】同ファン仕切板の配置を示す図
【図７】同設置状態による自然対流風路を示す図（（ａ）横長設置時の図、（ｂ）縦長設置時の図）
【図８】本発明の実施の形態２の電子機器内部の風路を示す図
【発明を実施するための形態】
【００１６】
本発明の請求項１記載の放熱ユニットは、平板状の発熱体を有する電子機器の一つの面に装着して、この電子機器の内部と外部を仕切る仕切板と、この仕切板の前記電子機器の外部側に配置した熱交換体と、前記仕切板の前記電子機器の内部側に配置した送風機とを備え、前記仕切板は、その上方の横方向に上方開口、その下方の横方向に下方開口を有し、前記熱交換体は、前記仕切板の前記電子機器の外部側において、前記上方開口と下方開口を温風路体によって縦方向に橋架状に連結した構成とし、前記電子機器の内部側において、前記上方開口と下方開口には、それぞれ前記発熱体の上端と下端において前面側と背面側へ温風路体を通過させた空気を流通させる吸込部材と吹出部材を備えたという構成を有する。
【００１７】
これにより、温風路体を通過して放熱をした空気を吹出部材により発熱体の下方から前面側と背面側へ流して、発熱体の上方から発熱体より発生した熱を含んだ空気を吸込部材により再び温風路体へ流すことができ、発熱体の熱を外気に放出することができるため、効率良く熱の放出を行い小型化軽量化した放熱ユニットを提供することができるという効果を奏する。
【００１８】
また、請求項２記載の放熱ユニットは、吸込部材と吹出部材はそれぞれ吸込開口と吹出開口を有し、前記吸込開口には送風機を備え、上方開口と連接させるとともに、吹出開口は下方開口と連接させたという構成を有する。
【００１９】
これにより、送風機の作用により、吸込開口から電子機器内の空気を上方開口を介して温風路体に送り込み、温風路体内の空気は下方開口を介して吹出開口から電子機器内へ再び送りこまれることとなり、温風路体へ電子機器内の熱を送り、外気へ放熱することができる。
【００２０】
また、請求項３記載の放熱ユニットは、送風機は吸込開口側から上方開口へ向けて空気を押し込む構成を有する。
【００２１】
これにより、送風機は、吸込開口から電子機器内の空気を上方開口を介して温風路体に送り込み、温風路体内の空気は下方開口を介して吹出開口から電子機器内へ再び送りこまれることとなり、温風路体へ電子機器内の熱を送り、外気へ放熱することができる。特に温風路体内へ空気を押し込む構成としているため、温風路体内へ圧力をかけて空気を隅々まで送り込むことができ、放熱効果を向上させることができる。
【００２２】
また、請求項４記載の放熱ユニットは、吸込部材は、発熱体の前面側から上端を越えて背面側上方に連通する第１風路と発熱体の背面側で下方に向けて電子機器内へ連通する第２風路と、送風機の吸込口で前記第１風路と第２風路を送風機の吸込口へ合流させる吸込合流板を備えたという構成を有する。
【００２３】
これにより、吸込部材は、吸込合流板により送風機の吸込口で第１風路と第２風路を合流させて発熱体の前面側と背面側の空気を合流させることとなり、前面側の空気を発熱体の上端を越えて背面側へ引き出すこともでき、電子機器内の空気を上方開口から温風路体内へ送風することができる。
【００２４】
また、請求項５記載の放熱ユニットは、吹出部材は、発熱体の前面側から下端を越えて背面側下方に連通する第３風路と発熱体の背面側で上方に向けて電子機器内へ連通する第４風路と、下方開口からこれら第３風路と第４風路へ空気を分流させる吹出分流板を備えたという構成を有する。
【００２５】
これにより、吹出部材は、吹出分流板により吹出開口から流入させた温風路体から吹き出す空気を第３風路と第４風路へ分流させて発熱体の下端を越えて前面側へも空気を流すこととなり、電子機器内の下方から上方へ向けて送風することができる。
【００２６】
また、請求項６記載の放熱ユニットは、吹出分流板は、吹出開口を所定の開口面積比率に可変させる構成とし、第４風路へ連通する開口面積を第３風路へ連通する開口面積よりも大きく配置した構成を有する。
【００２７】
これにより、発熱体の前面側に比べて背面側の流す空気を大きくして、電子機器内側の熱をより多く放熱させることとなり、発熱体の背面側に設けた制御装置へも空気を送ることができ、電子機器内全体に空気を流してその熱の放熱することができる。
【００２８】
また、請求項７記載の放熱ユニットは、吸込部材には、発熱体の前面側に連通する風路と発熱体の裏面側に連通する風路内にそれぞれ発熱体前面温度センサーと発熱体背面温度センサーを備えたという構成を有する。
【００２９】
これにより、発熱体の前面側と背面側の温度により、送風機の風量を調整することができる。
【００３０】
また、請求項８記載の放熱ユニットは、吸込開口には、並べて配置した複数の送風機と、これら送風機と送風機の間にファン仕切板を設けたという構成を有する。
【００３１】
これにより、送風機を複数並べることで、薄く横長に配置することができるとともに、ファン仕切板により、隣り合った送風機同士の干渉をなくし、送風量を増加させることができる。
【００３２】
また、請求項９記載の放熱ユニットは、温風路体は、所定の間隔を置いて内外に並行する複数の縦方向の風路を形成して上方開口と下方開口を橋架連結する構成を有する。
【００３３】
これにより、温風路体の伝熱面積を大きくすることができ、放熱効果を向上させることができる。
【００３４】
また、請求項１０記載の放熱ユニットは、外側の上方通気口と下方通気口間においては、温風路体に沿って第一の通風路を設けた構成を有する。
【００３５】
これにより、熱交換体の外側で温風路体に沿って第一の通風路を空気が自然に上昇することができ放熱を行うことができる。
【００３６】
また、請求項１１記載の放熱ユニットは、温風路体は、外側の上方通気口と下方通気口間においては、仕切板と間に第一の通風路の方向に対して交差する第二の通風路を設けた構成を有する。
【００３７】
これにより、熱交換体の外側で仕切板と温風路体の間を仕切板に沿って第二の通風路を空気が自然に上昇することもでき放熱を行うことができる。
【００３８】
また、請求項１２記載の電子機器は、発熱体は前面側に設けた表示部であり、この表示部とこの表示部の背面側に前記表示部の制御装置をそれぞれ設けた本体ケースの背面側に、開口部を設け、この開口部に、放熱ユニットを、この放熱ユニットの温風路体が、前記本体ケースの外面側となるように配置したという構成を有する。
【００３９】
これにより、電子機器内の表示部と制御装置から発生した熱を本体ケースの背面側の設けた放熱ユニットで外気へ放熱することができ、効率良く熱の放出を行い小型化軽量化した電子機器を提供することができるという効果を奏する。
【００４０】
以下、本実施の形態について図面を参照しながら説明する。
【００４１】
（実施の形態１）
図１において、電子機器の一例として用いた表示装置１は、テレビジョン受像機としての機能以外に、広告用の表示も行えるようになっている。
【００４２】
したがって、この図１では、表示装置１は商店２の軒下３、つまり屋外に設置され、この屋外において横長状態の表示部５が表出した状態となっている。
【００４３】
前記表示装置１は、図２に示すように背面にメッシュあるいは格子構造によって通気性を有する背面カバー４を備えている。
【００４４】
表示装置１の内部には、図３に示すように、表示装置１の前面に配置する表示部５とこの表示部の背面側に配置した表示部の明るさや映像を調整する制御部６とを備えている。そして、これらは、外気に対して水密性を保つようにして表示装置１の内部に納められている。
【００４５】
また、表示装置１の背面の背面カバー４の内側には放熱ユニット７が備えられている。この放熱ユニット７は、表示装置１本体の背面に設けた背面開口８を一つのユニットまたは複数のユニットに分割して覆うものである。
【００４６】
放熱ユニット７は、背面開口８を外側から閉塞する金属製の板体である仕切板９と、この仕切板９の外側に配置した熱交換体９ａと、仕切板９の内側の上端に位置する送風機１１と、この送風機１１を取り付けた吸込部材１２と、仕切板９の内側の下端に配置する吹出部材１３とで構成する。
【００４７】
仕切板９は上端と下端にそれぞれ横長の開口として、上方開口１４と下方開口１５を有する。また、熱交換体９ａは、仕切板９の前記電子機器の外部側において、前記上方開口１４と下方開口１５を温風路体１０によって縦方向に橋架状に連結した構成とする。そして、上方開口１４と下方開口１５に対向させて、上端と下端をそれぞれ水平方向に曲げた縦長のコの字形状の空洞体であって、ポリスチレン樹脂をはじめとする合成樹脂を薄く成型して形成したものである。つまり、この温風路体１０は、前記仕切板９の上方開口１４と下方開口１５を仕切板９の外側で連結するものである。
【００４８】
そして、図３に示すように、温風路体１０は、所定の間隔を置いて内外に並行する複数の縦方向の風路を形成して上方開口１４と下方開口１５を橋架連結するものである。
【００４９】
つまり、温風路体１０は、図４（ｂ）に示すように、外部側の上方開口１４と下方開口１５間においては、温風路体に沿って第一の通風路１０ａを形成する。また、温風路体１０は前述のように空洞体であって、内部に第三の通風路１０ｃを形成する。さらに、温風路体１０は、外部側の上方開口１４と下方開口１５間においては、仕切板９との間に第一の通風路１０ａの方向に対して交差する第二の通風路１０ｂを形成する。
【００５０】
また、送風機１１は、表示装置１の上方に配置して、上方開口１４から温風路体１０内部に向けて空気を押し込む構成にする。この送風機１１は、図３に示すように、上方開口１４に合わせて薄型の軸流ファン１１ａを複数個横方向に並べて配置する。また図６に示すように、隣り合った軸流ファン１１ａは、ファン仕切板１１ｂによって互いに区切られている。
【００５１】
また、仕切板９の内部側には、前記吸込部材１２と吹出部材１３を表示装置１の内部に向けて配置する。吸込部材１２と吹出部材１３は、仕切板９の内部側にあって、板状の発熱体１６の上端と下端を挟んでその両面に空気を流すように内部にそれぞれ吸込合流板１７と吹出分流板１８とを備えている。
【００５２】
さて、表示装置１はすでに述べたように表示部５を備えたものであるが、この表示部５は、表示装置１の前面側から保護ガラス１９と発熱体１６であるプラズマバックライト部２０をこれら保護ガラス１９とプラズマバックライト部２０の側面から枠体２０ａで所定の間隔を空けて平行に保持されるものである。また、この枠体２０ａにより保護ガラス１９とプラズマバックライト部２０の間に、上端と下端が開口した通風路である表示部通風路２１が形成される。この上端の開口を表示部上方開口２２とし、下端の開口を表示部下方開口２３とする。
【００５３】
保護ガラス１９は、表示装置１の表面に面して、プラズマバックライト部２０を保護するものである。
【００５４】
以上のように表示部５には保護ガラス１９とプラズマバックライト部２０の間に表示部通風路２１が形成されている。そして、この表示部通風路２１は図４（ａ）に示すように、表示部下方開口２３はプラズマバックライト部２０の下端を越えて背面側の吹出部材１３へ、表示部上方開口２２はプラズマバックライト部２０の上端を越えて吸込部材１２へそれぞれ連通させる。そして、送風機１１を介して、仕切板９の上方開口１４から温風路体１０の内側の第三の通風路１０ｃを通って下方開口１５、吹出部材１３、表示部下方開口２３へと連通する第１循環風路２４と連通している。
【００５５】
また、吸込部材１２と吹出部材１３は、それぞれ吸込合流板１７と吹出分流板１８により表示部通風路２１を区切って発熱体１６の背面側に互いに対向した吸込開口２５と吹出開口２６を配置している。これにより、発熱体１６の背面側は、吸込開口２５から送風機１１を介して、上方開口１４、温風路体１０の内側を通って下方開口１５、吹出開口２６へ循環する第２循環風路２７へと連通している。
【００５６】
つまり、吸込部材１２は、発熱体１６の前面側から上端を越えて背面側上方に連通する第１風路１２ａと発熱体１６の背面側で下方に向けて電子機器内へ連通する第２風路１２ｂと、送風機１１の吸込口で前記第１風路１２ａと第２風路１２ｂを送風機１１の吸込口へ合流させる吸込合流板１７を備えている。また、吹出部材１３は、発熱体１６の前面側から下端を越えて背面側下方に連通する第３風路１３ａと発熱体１６の背面側で上方に向けて電子機器内へ連通する第４風路１３ｂと、下方開口１５からこれら第３風路１３ａと第４風路１３ｂへ空気を分流させる吹出分流板１８を備えている。第１風路１２ａと第３風路１３ａは、表示部通風路２１と連通するものである。また、第２風路１２ｂと第４風路１３ｂは対向して発熱体１６の背面側に空気を流すものである。そして、これら第２風路１２ｂと第４風路１３ｂが対向する位置に制御部６を配置している。
【００５７】
また、吹出分流板１８は、図５に示すように、吹出開口２６に対して分流比率を可変させる構成、つまり吹出開口２６を所定の開口面積比率に可変させる構成とし、第３風路１３ａへ連通する第１開口２６ａの面積を第４風路１３ｂへ連通する第２開口２６ｂの面積よりも大きく配置した構成を有する。
【００５８】
このような構成によれば、表示装置１を駆動し、表示部５を点灯させると、プラズマバックライト部２０と制御部６内の回路部品が大きな熱を発生させることとなる。
【００５９】
すなわち、このような屋外の人々を対象にした表示装置１では、屋内のテレビジョン受像機の表示に比べて表示部５の発光輝度を高くする必要があり、非常に大きな電力とそれに伴う大きな熱が発生する。また、表示装置１は屋外で使用するため、埃や雨水の浸入を防ぐように前面は、保護ガラス１９によって覆い、背面は、制御部６を放熱ユニット７によって覆い、表示装置１の内部は密閉された状態であり、表示装置１の内部は非常に大きな熱がこもる構成となる。
【００６０】
そこで、表示部５で表示を開始すると、送風機１１を駆動させて、表示装置１内で、制御部６の上方の空気は上方開口１４から温風路体１０へ押し込まれ、下方では下方開口１５から再び表示装置１内へ吹き出される。
【００６１】
また、表示装置１内へ吹き出された空気は、吹出部材１３の吹出分流板１８によって、第３風路１３ａと第４風路１３ｂへ分流される。第３風路１３ａへ分流した空気は、プラズマバックライト部２０の下側から前面側へ回り込んで流入し、プラズマバックライト部２０の前面側の表示部通風路２１を通過して、第１風路１２ａへ流れ、プラズマバックライト部２０の上側から背面側へ流れ、吸込部材１２に吸い込まれ、吸込分流板１７の作用により、送風機１１によって吸い込まれる。また、第４風路１３ｂへ分流した空気は、プラズマバックライト部２０の背面側を通って、制御部６を通過して第２風路１２ｂへ連通し、吸込部材１２の吸込合流板１７によって、送風機１１へ案内され吸い込まれる。
【００６２】
つまり、送風機１１の作用により、表示装置１内の空気が、強制的に温風路体１０内へと送りこまれ、第三の風路１０ｃを通って、第１循環風路２４と第２循環風路２７を循環することになる。これにより表示装置１の内部から発生した熱は第１循環風路２４と第２循環風路２７を通過して温風路体１０内へ伝えられる。表示装置１の背面側では、背面カバー４にメッシュあるいは格子構造を設けていることで、温風路体１０の外側に煙突効果により自然対流が発生し、図７（ａ）に示すように、第一の通風路１０ａを空気が上昇して、温風路体１０を形成する樹脂板体を介して、内部の熱が外気へ放出される。このようにして、表示装置１内の熱が外気へ放出される。
【００６３】
以上のごとく、本実施形態においては、表示装置１内にこもった表示部５や制御部６の熱は、放熱ユニット７により、表示装置１外へと搬送され、外気で効果的に冷却されることになる。
【００６４】
そして、放熱ユニット７の温風路体１０は合成樹脂で形成し、表示装置１の背面に設けた仕切板９の外にだけ設けられているので、軽量化を図ることができる。
【００６５】
また、吹出分流板１８は吹出開口２６を所定の開口面積比率に可変させる構成とし、第４風路１３ｂへ連通する第２開口２６ｂの面積を第３風路１３ａへ連通する第１開口２６ａの面積よりも大きく配置した構成としているので、第３風路１３ａ側へ流した空気によってプラズマバックライト部２０の前面側の熱を放熱させるとともに、第４風路１３ｂ側へ流す空気を多くして、プラズマバックライト部２０の背面側とこの背面側に配置した制御部６の放熱も同時に行うことができ、部位で異なる発熱量や、表示装置１の大きさが異なった場合においても効率よく放熱することができる。
【００６６】
また、ファン仕切板１１ｂによって、隣り合う軸流ファン１１ａの回転による気流が干渉して打ち消し合うことがなくなり、第三の通風路１０ｃへ確実に空気を送ることができ、表示装置１内の熱を効率良く放熱することができる。
【００６７】
これにより、表示装置１内全体に空気を流してその熱の放熱することができる。
【００６８】
以上のように、表示装置１は横長に設置した場合に、温風路体１０の作用によって第一の通風路１０ａを空気が上昇して放熱を行うことができた。ところが、表示装置１は、表示内容によっては図７（ｂ）に示すように、縦長に設置することもある。つまり前記表示装置１を９０度回転させた状態に設置して使用する場合もある。この場合、仕切板９と温風路体１０の間に形成した第二の通風路１０ｂに自然対流が発生して、この第二の通風路１０ｂに空気が上昇して流れることとなる。
【００６９】
このようにして、本実施の形態の放熱ユニットでは、表示装置１を縦長に設置した場合でも横長に設置した場合でもその設置方向に限定されることなく、同様の放熱効果が得られる。
【００７０】
（実施の形態２）
以上のように本発明について説明したが、実施の形態２では、より確実に発熱体１６の放熱を行うために、図８に示すように、吸込部材１２には、発熱体１６の前面側に連通する風路と発熱体の裏面側に連通する風路内にそれぞれ発熱体前面温度センサー３０と発熱体背面温度センサー３１を備えたものである。なお、実施の形態１の構成と同じ部分については、理解を容易にするために同一の符号を付し、その説明は簡略化する。
【００７１】
つまり、第１風路１２ａに発熱体前面温度センサー３０と第２風路１２ｂに発熱体背面温度センサー３１を備えたものである。
【００７２】
このような構成にして、送風機１１を発熱体前面温度センサー３０と発熱体背面温度センサー３１の検出温度に応じて、すくなくともどちらか一方の温度が所定の温度よりも高くなったら風量をあげることで、表示装置１内の熱を確実に放熱することができる。
【００７３】
また、放熱ユニット７を図３に示すように、複数のユニットに分けて配置することで、発熱体１６の温度分布によって、軸流ファン１１ａの運転および停止または風量制御を行うことで、表示装置１内の熱をきめ細かく放熱することができる。つまり、必要最小限の放熱ユニット７を備え、効率よく放熱を行うことができる。そして、さらなる軽量化を実現することができる。
【００７４】
（実施の形態３）
以上のように本発明の基本構成について説明したが、実施の形態３では、実施の形態１にも示したように、発熱体１６がプラズマバックライト部２０である場合に効果を奏する構成について説明する。なお、実施の形態１の構成と同じ部分については、理解を容易にするために同一の符号を付し、その説明は簡略化する。
【００７５】
実施の形態１の構成において、送風機１１は、プラズマバックライト部２０の表示部下方開口２３に対して最も遠い位置、つまり表示装置１内にあって送風機１１と表示部下方開口２３は対角に配置している。また、送風機１１は、ポリスチレン樹脂を代表とする合成樹脂で形成した温風路体１０に上方開口１４を介して直接空気を吹き込む構成にしている。
【００７６】
このような構成により、第１循環風路２４と第２循環風路２７を循環する空気は、送風機１１の作用により、ポリスチレン樹脂を代表とする合成樹脂で形成した温風路体１０に激突させることができ、その際の摩擦により温風路体１０は、図５に示すコの字状の上側の上部曲がり部３２が静電気で帯電して、流れる空気に混在する電子機器内のほこりを吸着することとなる。
【００７７】
つまり、上部曲がり部３２に吸着作用を生じさせて、電子機器内のほこりを吸着することができることで、本実施の形態のように、表示部通風路２１を形成して、プラズマバックライト部２０の表面に空気を流しても表示画面にほこりやごみが付着することがなくなり、美しい映像を表示することができる。
【産業上の利用可能性】
【００７８】
以上のごとく本発明の放熱ユニットは、平板状の発熱体を有する電子機器の一つの面に装着して、この電子機器の内部と外部を仕切る仕切板と、この仕切板の前記電子機器の外部側に配置した熱交換体と、前記仕切板の前記電子機器の内部側に配置した送風機とを備え、前記仕切板は、その上方の横方向に上方通気口、その下方の横方向に下方開口を有し、前記熱交換体は、前記仕切板の前記電子機器の外部側において、前記上方開口と下方開口を温風路体によって縦方向に橋架状に連結した構成とし、前記電子機器の内部側において、前記上方開口と下方開口には、それぞれ前記発熱体の背面上方と背面下方において前記発熱体の前面側と背面側へ温風路体を通過させた空気を流通させる吸込部材と吹出部材を備えたものであるので、放熱ユニットおよびこれを用いた電子機器の軽量化を図ることができる。
【００７９】
すなわち、本発明においては、従来のように電子機器内部にまで放熱対策用に放熱フィンを設けなくても、この電子機器の内部の熱を、送風機の送風により、電子機器の外部側に配置した熱交換体へ移動させて効果的に放熱させることができるので、放熱ユニットおよびこれを用いた電子機器の軽量化を図ることができるのである。
【００８０】
したがって、屋外設置タイプの電子機器に広く活用される。
【符号の説明】
【００８１】
１      表示装置
２      商店
３      軒下
４      背面カバー
５      表示部
６      制御部
７      放熱ユニット
８      背面開口
９      仕切板
９ａ    熱交換体
１０    温風路体
１０ａ  第一の通風路
１０ｂ  第二の通風路
１０ｃ  第三の通風路
１１    送風機
１１ａ  軸流ファン
１１ｂ  ファン仕切板
１２    吸込部材
１２ａ  第１風路
１２ｂ  第２風路
１３    吹出部材
１３ａ  第３風路
１３ｂ  第４風路
１４    上方開口
１５    下方開口
１６    発熱体
１７    吸込合流板
１８    吹出分流板
１９    保護ガラス
２０    プラズマバックライト部
２０ａ  枠体
２１    表示部通風路
２２    表示部上方開口
２３    表示部下方開口
２４    第１循環風路
２５    吸込開口
２６    吹出開口
２６ａ  第１開口
２６ｂ  第２開口
２７    第２循環風路
３０    発熱体前面温度センサー
３１    発熱体背面温度センサー
３２    上部曲がり部
【図１】
0005434713.tif 000002
【図２】
0005434713.tif 000003
【図３】
0005434713.tif 000004
【図４】
0005434713.tif 000005
【図５】
0005434713.tif 000006
【図６】
0005434713.tif 000007
【図７】
0005434713.tif 000008
【図８】
0005434713.tif 000009